【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
被写体の位置情報、複数の撮像装置の位置情報、および前記複数の撮像装置の撮像方向を取得する取得手段と、
前記取得手段により位置情報を取得した被写体または前記被写体の周囲を撮像するアングルの指定を受け付ける受付手段と、
前記取得手段で取得した前記被写体の位置情報、前記複数の撮像装置の位置情報、および前記複数の撮像装置の撮像方向を用いて、前記複数の撮像装置の中から前記受付手段により指定を受け付けたアングルで前記被写体、または前記被写体の周囲を撮像可能な撮像装置を特定する撮像装置特定手段と
を備えることを特徴とする情報処理装置。
【請求項２】
前記撮像装置特定手段で特定された前記撮像装置から画像データを取得する画像データ取得手段を備えることを特徴とする請求項１に情報処理装置。
【請求項３】
複数のパターンのアングルを表示する表示手段を備え、
前記受付手段は、前記表示手段で表示される複数のパターンのアングルの中から、前記被写体または前記被写体の周囲を撮像するアングルの指定を受け付けることを特徴とする請求項１または２に記載の情報処理装置。
【請求項４】
前記複数の撮像装置の中から、基準となる撮像装置を設定する設定手段を備えることを特徴とする請求項３に記載の情報処理装置。
【請求項５】
前記複数のパターンのアングルには、前記基準となる撮像装置と同じ方向を向いている撮像装置により前記被写体を撮像するアングルを含むことを特徴とする請求項４に記載の情報処理装置。
【請求項６】
前記複数のパターンのアングルには、前記被写体を挟んで前記基準となる撮像装置と対向する位置の撮像装置により前記被写体を撮像するアングルを含むことを特徴とする請求項４または５に記載の情報処理装置。
【請求項７】
前記複数のパターンのアングルには、前記基準となる撮像装置の方向を被写体の正面とした場合において、前記被写体の側面側から撮像装置により前記被写体を撮像するアングルを含むことを特徴とする請求項４乃至６のいずれか1項に記載の情報処理装置。
【請求項８】
前記複数のパターンのアングルには、前記基準となる撮像装置の背面方向に所定の距離離れた位置を中心として、当該位置から所定の方向にある前記撮像装置により前記被写体の周囲を撮像するアングルを含むことを特徴とする請求項４乃至７のいずれか１項に記載の情報処理装置。
【請求項９】
前記表示手段は、更に、前記取得手段により取得した、前記被写体の位置情報、前記複数の撮像装置の位置情報、および前記複数の撮像装置の撮像方向をユーザが認識可能となる画面を表示可能であり、
前記複数のパターンのアングルには、前記画面から任意の撮像装置の選択をユーザから受け付け、当該選択をユーザから受け付けた撮像装置により前記被写体を撮像するアングルを含むことを特徴とする請求項３乃至８のいずれか１項に記載の情報処理装置。
【請求項１０】
情報処理装置の制御方法であって、
被写体の位置情報、複数の撮像装置の位置情報、および前記複数の撮像装置の撮像方向を取得する取得工程と、
前記取得工程により位置情報を取得した被写体または前記被写体の周囲を撮像するアングルの指定を受け付ける受付工程と、
前記取得工程で取得した前記被写体の位置情報、前記複数の撮像装置の位置情報、および前記複数の撮像装置の撮像方向を用いて、前記複数の撮像装置の中から前記受付工程により指定を受け付けたアングルで前記被写体、または前記被写体の周囲を撮像可能な撮像装置を特定する撮像装置特定工程と
を備えることを特徴とする制御方法。
【請求項１１】
情報処理装置で読み取り実行可能なプログラムであって、
前記情報処理装置を、
被写体の位置情報、複数の撮像装置の位置情報、および前記複数の撮像装置の撮像方向を取得する取得手段と、
前記取得手段により位置情報を取得した被写体または前記被写体の周囲を撮像するアングルの指定を受け付ける受付手段と、
前記取得手段で取得した前記被写体の位置情報、前記複数の撮像装置の位置情報、および前記複数の撮像装置の撮像方向を用いて、前記複数の撮像装置の中から前記受付手段により指定を受け付けたアングルで前記被写体、または前記被写体の周囲を撮像可能な撮像装置を特定する撮像装置特定手段と
して機能させることを特徴とするプログラム。
【手続補正２】
【補正対象書類名】明細書
【補正対象項目名】発明の名称
【補正方法】変更
【補正の内容】
【発明の名称】情報処理装置、情報処理装置の制御方法及びプログラム
【手続補正３】
【補正対象書類名】明細書
【補正対象項目名】０００１
【補正方法】変更
【補正の内容】
【０００１】
本発明は、情報処理装置、情報処理装置の制御方法及びプログラムに関する。
【手続補正４】
【補正対象書類名】明細書
【補正対象項目名】０００７
【補正方法】変更
【補正の内容】
【０００７】
本発明は、ユーザの所望する被写体、又は被写体の周囲の画像を、撮像装置より取得することが可能な仕組みを提供することを目的とする。
【手続補正５】
【補正対象書類名】明細書
【補正対象項目名】０００８
【補正方法】変更
【補正の内容】
【０００８】
本発明は、被写体の位置情報、複数の撮像装置の位置情報、および前記複数の撮像装置の撮像方向を取得する取得手段と、前記取得手段により位置情報を取得した被写体または前記被写体の周囲を撮像するアングルの指定を受け付ける受付手段と、前記取得手段で取得した前記被写体の位置情報、前記複数の撮像装置の位置情報、および前記複数の撮像装置の撮像方向を用いて、前記複数の撮像装置の中から前記受付手段により指定を受け付けたアングルで前記被写体、または前記被写体の周囲を撮像可能な撮像装置を特定する撮像装置特定手段とを備えることを特徴とする。また、本発明は、情報処理装置の制御方法であって、被写体の位置情報、複数の撮像装置の位置情報、および前記複数の撮像装置の撮像方向を取得する取得工程と、前記取得工程により位置情報を取得した被写体または前記被写体の周囲を撮像するアングルの指定を受け付ける受付工程と、前記取得工程で取得した前記被写体の位置情報、前記複数の撮像装置の位置情報、および前記複数の撮像装置の撮像方向を用いて、前記複数の撮像装置の中から前記受付工程により指定を受け付けたアングルで前記被写体、または前記被写体の周囲を撮像可能な撮像装置を特定する撮像装置特定工程とを備えることを特徴とする。また、本発明は、情報処理装置で読み取り実行可能なプログラムであって、前記情報処理装置を、被写体の位置情報、複数の撮像装置の位置情報、および前記複数の撮像装置の撮像方向を取得する取得手段と、前記取得手段により位置情報を取得した被写体または前記被写体の周囲を撮像するアングルの指定を受け付ける受付手段と、前記取得手段で取得した前記被写体の位置情報、前記複数の撮像装置の位置情報、および前記複数の撮像装置の撮像方向を用いて、前記複数の撮像装置の中から前記受付手段により指定を受け付けたアングルで前記被写体、または前記被写体の周囲を撮像可能な撮像装置を特定する撮像装置特定手段として機能させることを特徴とする。
【手続補正６】
【補正対象書類名】明細書
【補正対象項目名】０００９
【補正方法】変更
【補正の内容】
【０００９】
本発明によれば、ユーザの所望する被写体、又は被写体の周囲の画像を、撮像装置より取得することが可能な仕組みを提供することができる。